(57)【要約】【課題】天板をコンロ本体上に設置するにあたって確実に所定位置に設置可能なビルトインコンロを提供する。【解決手段】キャビネット１の天面に設けられた開口部２に設置されるコンロ本体１１と、開口部２を覆うようにコンロ本体１１上に設置される天板１２とから構成されるビルトインコンロであって、天板１２及びコンロ本体１１は、天板１２を開口部２に設置したときに、天板１２のコンロ本体１１に対する水平方向の移動を規制する位置決め機構を備え、位置決め機構は、天板１２の裏面に、鉛直方向に突出して設けられた第一凸状部３１ａと、コンロ本体１１に設けられ、第一凸状部３１ａを鉛直方向に沿って受け入れる第一凹状部３１ｂとから構成されている。【選択図】図８
2018169087.tif 000002
【特許請求の範囲】
【請求項１】
キャビネットの天面に設けられた開口部に設置されるコンロ本体と、前記開口部を覆うように前記コンロ本体上に設置される天板とから構成されるビルトインコンロであって、
前記天板及び前記コンロ本体は、前記天板を前記開口部に設置したときに、前記天板の前記コンロ本体に対する水平方向の移動を規制する位置決め機構を備え、
前記位置決め機構は、前記天板の裏面及び前記コンロ本体のいずれか一方に、鉛直方向に突出して設けられた挿入部と、いずれか他方に設けられ、前記挿入部を鉛直方向に沿って受け入れる受入部とから構成されていることを特徴とするビルトインコンロ。
【請求項２】
前記天板の表面に、操作部又は表示部の少なくともいずれかが備えられ、
前記天板の裏面に、少なくとも、前記操作部に入力された操作に対応する操作信号を前記コンロ本体に備えられた制御回路部に中継する、又は、前記表示部への表示に対応する表示信号を前記コンロ本体に備えられた制御回路部から中継する中継基板が備えられ、
前記中継基板に天板側コネクタが備えられ、前記制御回路部に本体側コネクタが備えられ、
前記天板側コネクタ及び前記本体側コネクタは、前記天板を前記コンロ本体上に設置することによって接続されるように構成され、
前記天板を前記コンロ本体上に設置するにあたり、前記天板を前記コンロ本体の上方の所定の位置に配置したときに、前記天板側コネクタと前記本体側コネクタとが相対し、そのまま前記天板を鉛直下方に下ろすと、前記天板側コネクタと前記本体側コネクタとが接続されるより前に、前記受入部は前記挿入部を受け入れ始めるように構成されている請求項１に記載のビルトインコンロ。
【請求項３】
前記受入部は、
前記挿入部の受け入れ初期から中期にかけては、前記天板の水平方向の移動を許容し、
前記挿入部の受け入れ中期から終期にかけては、前記天板の水平方向の移動を規制するように構成され、
前記天板側コネクタ及び前記本体側コネクタは、前記受け入れ中期から終期において接続されるように構成されている請求項２に記載のビルトインコンロ。
【請求項４】
前記受入部は、前記制御回路部を収容する回路支持部に備えられた第一凹状部と、前記コンロ本体に備えられた第二凹状部とを含み、
前記挿入部は、前記第一凹状部に対応する位置において、前記天板の裏面から鉛直方向下方に延出され、前記第一凹状部に挿入可能な第一凸状部と、前記第二凹状部に対応する位置において、前記天板の裏面から鉛直方向下方に延出されて、前記第二凹状部に挿入可能な第二凸状部を含む請求項２又は３に記載のビルトインコンロ。
【請求項５】
前記第二凹状部による前記第二凸状部の受け入れは、前記第一凹状部による前記第一凸状部の受け入れに先立って行われるように構成されている請求項４に記載のビルトインコンロ。
【請求項６】
前記第一凸状部及び前記第一凹状部による前記天板の前記回路支持部に対する位置決め精度は、
前記第二凸状部及び前記第二凹状部による前記天板の前記コンロ本体に対する位置決め精度よりも高いように構成されている請求項４又は５に記載のビルトインコンロ。
【請求項７】
前記挿入部は、前記天板側コネクタ又は前記本体側コネクタのうち一方を囲むように配置された内側筒状部を含み、
前記受入部は、前記天板側コネクタ又は前記本体側コネクタのうち他方を囲むように配置されるとともに、前記内側筒状部を受け入れ可能な外側筒状部を含む請求項２から６のいずれか一項に記載のビルトインコンロ。
【発明の詳細な説明】
【技術分野】
【０００１】
本発明は、キャビネットの天面に設けられた開口部に設置されるコンロ本体と、前記開口部を覆うように前記コンロ本体上に設置される天板とから構成されるビルトインコンロに関する。
【背景技術】
【０００２】
ビルトインコンロは、システムキッチン等のキャビネットの天面に設けられた開口部に設置されるコンロ本体と、開口部を覆うように前記コンロ本体上に設置される天板とから構成され、天板上に調理器具を加熱するためのガスコンロ、電気コンロ、ＩＨ（induction heating）調理器等の少なくともいずれかの調理用加熱器を備え、コンロ本体の前面中央にグリルを備え、その左右に該ビルトインコンロの操作部が備えられている。
【０００３】
このようなビルトインコンロは、特許文献１に示すように、まず、キャビネットの開口部からコンロ本体をキャビネット内に設置し、その後天板をコンロ本体上に設置するように構成されている。
【先行技術文献】
【特許文献】
【０００４】
【特許文献１】特許第４８９３２０８号公報
【発明の概要】
【発明が解決しようとする課題】
【０００５】
従来のビルトインコンロは、天板をコンロ本体上に設置するにあたって、調理用加熱器、たとえばガスコンロのバーナーキャップと、天板に備えられたバーナーキャップ用の開口とを目安に位置決めを行っていた。しかし、開口はバーナーキャップに対してゆとりのある大きさに構成されていることから、そのゆとり内において、天板は水平方向の移動や上下の傾きが許容されるため、天板をコンロ本体上に設置しようとする場合に、高い精度での位置決めができず、最後の嵌め込みの段階になって初めて位置決めが可能となっていた。
【０００６】
本発明は上記実情に鑑みてなされたものであって、天板をコンロ本体上に設置するにあたって確実に所定位置に設置可能なビルトインコンロを提供することを目的とする。
【課題を解決するための手段】
【０００７】
上述の目的を達成するための、本発明に係るビルトインコンロの特徴構成は、キャビネットの天面に設けられた開口部に設置されるコンロ本体と、前記開口部を覆うように前記コンロ本体上に設置される天板とから構成されるビルトインコンロであって、前記天板及び前記コンロ本体は、前記天板を前記開口部に設置したときに、前記天板の前記コンロ本体に対する水平方向の移動を規制する位置決め機構を備え、前記位置決め機構は、前記天板の裏面及び前記コンロ本体のいずれか一方に、鉛直方向に突出して設けられた挿入部と、いずれか他方に設けられ、前記挿入部を鉛直方向に沿って受け入れる受入部とから構成されている点にある。
【０００８】
上述の構成によると、天板をコンロ本体上に設置するにあたり、受入部が挿入部を受け入れて天板の水平方向の移動を規制する位置決め機構によって、天板はコンロ本体上の所定位置に早い段階で確実に位置決めされ、その後鉛直下方に押し込むことによって確実に所定の位置に設置することができるようになった。
【０００９】
本発明においては、前記天板の表面に、操作部又は表示部の少なくともいずれかが備えられ、前記天板の裏面に、少なくとも、前記操作部に入力された操作に対応する操作信号を前記コンロ本体に備えられた制御回路部に中継する、又は、前記表示部への表示に対応する表示信号を前記コンロ本体に備えられた制御回路部から中継する中継基板が備えられ、前記中継基板に天板側コネクタが備えられ、前記制御回路部に本体側コネクタが備えられ、前記天板側コネクタ及び前記本体側コネクタは、前記天板を前記コンロ本体上に設置することによって接続されるように構成され、前記天板を前記コンロ本体上に設置するにあたり、前記天板を前記コンロ本体の上方の所定の位置に配置したときに、前記天板側コネクタと前記本体側コネクタとが相対し、そのまま前記天板を鉛直下方に下ろすと、前記天板側コネクタと前記本体側コネクタとが接続されるより前に、前記受入部は前記挿入部を受け入れ始めるように構成されていると好適である。
【００１０】
上述の構成によると、天板に操作部又は表示部の少なくともいずれかを備えるにあたり、これらの制御にかかる制御回路部は本体側に備え、天板には操作部からの制御信号を制御回路部に中継したり、表示部への表示信号を制御回路部に中継する中継基板を備える構成としたため、天板側に取り付けられる構造を薄型化できるため、キャビネットを構成する部材があったとしても、操作部や表示部を天板のより手前側に配置することができるようになった。
【００１１】
そして、天板をコンロ本体上に設置する作業に伴って、天板側コネクタと本体側コネクタとが接続されるように構成したことによって、従来のビルトインコンロのようなリード線による接続の場合に生じていた問題が解決できるようになった。
【００１２】
特に、天板側コネクタ及び本体側コネクタによって、中継基板と制御回路部とを電気的に接続するような構成である場合に、本発明に係る位置決め機構による位置決めが効果的である。すなわち、受入部は、天板をコンロ本体上に設置するにあたり、中継基板と制御回路部とが電気的に接続されるより前に、挿入部を受け入れ始め、天板側コネクタ及び本体側コネクタの水平方向の位置決めがされることとなる。その状態で天板側コネクタ及び本体側コネクタの接続が可能となる。従来のように、バーナキャップと開口とを目安にした位置決めしていた構成とくらべて、はるかに精度よく位置決めが可能となるため、天板側コネクタ及び本体側コネクタの接続が確実なものとなる。
【００１３】
なお、操作部として押しボタン式のスイッチ群が例示でき、表示部として液晶ディスプレイが例示できる。さらに、操作部及び表示部として、操作部と表示部とが一体化した静電容量型、抵抗膜型、投影型、超音波型、赤外線型のタッチパネルが例示できる。
【００１４】
本発明においては、前記受入部は、前記挿入部の受け入れ初期から中期にかけては、前記天板の水平方向の移動を許容し、前記挿入部の受け入れ中期から終期にかけては、前記天板の水平方向の移動を規制するように構成され、前記天板側コネクタ及び前記本体側コネクタは、前記受け入れ中期から終期において接続されるように構成されていると好適である。
【００１５】
上述の構成によると、受入部の挿入部の受け入れ初期から中期にかけては、天板の水平方向の移動がいくらか許容される。天板は当初大まかに位置決めがされるに過ぎないことから、天板のコンロ本体上への設置作業性を損なうことがない。そして、受入部の挿入部の受け入れ中期から終期にかけてようやく天板の水平方向の移動が規制され、最終的には、天板はコンロ本体上の所定の位置に位置決めされることとなる。天板の水平方向の移動が規制された状態で天板側コネクタ及び本体側コネクタとが接続される。
【００１６】
本発明においては、前記受入部は、前記制御回路部を収容する回路支持部に備えられた第一凹状部と、前記コンロ本体に備えられた第二凹状部とを含み、前記挿入部は、前記第一凹状部に対応する位置において、前記天板の裏面から鉛直方向下方に延出され、前記第一凹状部に挿入可能な第一凸状部と、前記第二凹状部に対応する位置において、前記天板の裏面から鉛直方向下方に延出されて、前記第二凹状部に挿入可能な第二凸状部を含むと好適である。
【００１７】
上述の構成によると、第一凸状部が第一凹状部に挿入されることによって、天板側コネクタ及び本体側コネクタの近傍において、天板と回路支持部との位置決めが可能であり、さらに、第二凸状部が第二凹状部に挿入されることによって、天板とコンロ本体との全体的な位置決めが可能となる。
【００１８】
本発明においては、前記第二凹状部による前記第二凸状部の受け入れは、前記第一凹状部による前記第一凸状部の受け入れに先立って行われるように構成されていると好適である。
【００１９】
上述の構成によると、天板とコンロ本体の大まかな位置決めがされたあとに、天板側コネクタ及び本体側コネクタの近傍において、天板と回路支持部との位置決めが可能であるため、天板側コネクタ及び本体側コネクタを確実に接続することができる。
【００２０】
本発明においては、前記第一凸状部及び前記第一凹状部による前記天板の前記回路支持部に対する位置決め精度は、前記第二凸状部及び前記第二凹状部による前記天板の前記コンロ本体に対する位置決め精度よりも高いように構成されていると好適である。
【００２１】
上述の構成によると、天板とコンロ本体の大まかな位置決めをしながら、より高い精度が必要な天板側コネクタ及び本体側コネクタの近傍において、天板と回路支持部との精度のよい位置決めが可能であるため、天板側コネクタ及び本体側コネクタを確実に接続することができる。
【００２２】
本発明においては、前記挿入部は、前記天板側コネクタ又は前記本体側コネクタのうち一方を囲むように配置された内側筒状部を含み、前記受入部は、前記天板側コネクタ又は前記本体側コネクタのうち他方を囲むように配置されるとともに、前記内側筒状部を受け入れ可能な外側筒状部を含むと好適である。
【００２３】
上述の構成によると、天板側コネクタ及び本体側コネクタの近傍において、天板と回路支持部との精度のよい位置決めが可能であるため、天板側コネクタ及び本体側コネクタを確実に接続することができる。
【図面の簡単な説明】
【００２４】
【図１】本発明に係るビルトインコンロの斜視図である。
【図２】本発明に係るビルトインコンロの説明図である。
【図３】本発明に係るビルトインコンロの説明図である。
【図４】本発明に係るビルトインコンロの説明図である。
【図５】本発明に係るビルトインコンロが備える位置決め機構の説明図である。
【図６】本発明に係るビルトインコンロが備える位置決め機構の説明図である。
【図７】本発明に係るビルトインコンロが備える位置決め機構の説明図である。
【図８】本発明に係るビルトインコンロが備える位置決め機構の説明図である。
【図９】本発明に係るビルトインコンロが備える位置決め機構の説明図である。
【図１０】本発明に係るビルトインコンロが備える位置決め機構の説明図である。
【発明を実施するための形態】
【００２５】
以下、本発明に係るビルトインコンロの実施形態を図面に基づいて説明する。図１には、本発明の実施形態に係るビルトインコンロ１０が示されている。
【００２６】
ビルトインコンロ１０は、システムキッチンのキャビネット１の天面に設けられた開口部２に設置されるコンロ本体１１と、開口部２を覆うようにコンロ本体１１上に設置される天板１２とから構成されている。
【００２７】
本実施形態においては、天板１２上の左右手前と中央奥に調理器具を加熱するための調理用加熱器の一例としての三口のガスコンロ１３が備えられ、天板１２の表面の手前側にガスコンロ１３の操作部及び表示部としての静電容量型のタッチパネル１４が備えられ、コンロ本体１１の前面中央にグリル１５が備えられている。
【００２８】
天板１２は、開口部２を覆う大きさの結晶化ガラス等の光透過性を有する材料から形成されている。天板１２の外周には、天板１２の外周を保護するために金属材料又は樹脂材料から形成された天板フレームが配置され、その下方に弾性材料から構成されたパッキンが備えられている。
【００２９】
コンロ本体１１は、金属材料から構成された筐体１１ａの内部にガスコンロ１３を構成するコンロバーナ１３ａが備えられている。コンロバーナ１３ａは、炎孔を有するバーナーキャップの部分が、天板１２の所定の位置に備えられた開口から、天板１２の上に突出するように配置され、その周囲に五徳１３ｂが配置される。
【００３０】
さらに、筐体１１ａの内部には、タッチパネル１４に入力された操作に対応する操作信号が入力されたり、タッチパネル１４への表示に対応する表示信号を出力する制御回路部２７が備えられている。制御回路部２７は、制御回路部２７に入力された操作信号に応じてガスコンロ１３の着火等の制御をするメイン回路部（図示せず）とリード線によって接続されている。なお、制御回路部２７及び前記メイン回路部は、それぞれマイコンから構成され、予めリード線によって接続された状態で、コンロ本体１１の内部に配置される。なお、少なくとも制御回路部２７は、筐体１１ａに支持された回路支持部２８の内部に収容されている。また、制御回路部２７に、本体側コネクタ２６ｂが鉛直上方に突設されている。
【００３１】
筐体１１ａの上部には外周へ延出した筐体支持部１１ｂが備えられ、該筐体支持部１１ｂが開口部２の周辺に支持されることによって、コンロ本体１１はキャビネット１の天面に吊設される。
【００３２】
図３に示すように、タッチパネル１４は、天板１２の裏面に非光透過性の導電膜２０が設けられている。導電膜２０は、光透過性の部分と非光透過性の部分によって、たとえば点火、火力等の各種操作に対応する記号を模すように構成されている。なお、記号とは、操作内容を表示する文字、マーク、絵などの図形である。
【００３３】
導電膜２０は、各記号ごと導光板２２によって覆われている。各導光板２２の端部には発光ダイオードから構成された発光素子２３が設けられている。発光素子２３の発光したときに、導電膜２０及び天板１２のうち光透過性の部分を透過する光によって、各操作に対応する記号が表示される。なお、導電膜２０の下方に配置される導光板２２と、導光板２２の側面に配置された発光素子２３とが本発明に係る発光部である。なお、導光板２２は、発光素子２３の発光のみによって表示部としての視認性が確保できるのであれば、必ずしも備えられていなくてもよい。このように、操作部及び表示部を、静電容量型のタッチパネル１４とすることによって、天板１２の裏面に大きなスペースを要することなく配置することができる。
【００３４】
導電膜２０、導光板２２及び発光素子２３の下方にはプリント基板２４が配置され、このプリント基板２４に導電膜２０の端部に設けられた接点に電気的に接続される接点端子２１や、発光素子２３が電気的に接続されている。
【００３５】
プリント基板２４は、基板支持部２５に収容される態様によって、天板１２の裏面に取り付けられている。プリント基板２４の下面には、天板側コネクタ２６ａが設けられており、天板側コネクタ２６ａは、基板支持部２５を貫通して鉛直下方に突設されている。
【００３６】
天板１２をコンロ本体１１上に設置するにあたり、天板１２をコンロ本体１１の上方の所定の位置に配置したときに、天板側コネクタ２６ａと本体側コネクタ２６ｂとが相対し、そのまま天板１２を鉛直下方に下ろすことによって、天板側コネクタ２６ａと本体側コネクタ２６ｂとが接続される。
【００３７】
天板側コネクタ２６ａ及び本体側コネクタ２６ｂは、天板１２をコンロ本体１１上に設置することによって接続されるスプリングコネクタ２６である。なお、本実施形態においては、本体側コネクタ２６ｂは制御回路部２７に固定的に備えられた被接触端子であり、天板側コネクタ２６ａはプリント基板２４に、被接触端子に向けて弾性的に付勢されて備えられた接触端子であるが、接触端子が制御回路部２７に備えられ、被接触端子がプリント基板２４に備えられてもよい。天板側コネクタ２６ａ及び本体側コネクタ２６ｂは、天板１２をコンロ本体１１上に設置すると、接触端子が弾性的に被接触端子へと付勢されて接触状態が維持されるため、天板側コネクタ２６ａ及び本体側コネクタ２６ｂの接続が確実なものとなる。
【００３８】
該プリント基板２４が、タッチパネル１４に入力された操作に対応する操作信号をコンロ本体１１に備えられた制御回路部２７に中継したり、タッチパネル１４への表示に対応する表示信号を制御回路部２７から中継する。したがって、該プリント基板２４が、本発明に係る中継基板である。
【００３９】
上述のように、天板１２にタッチパネル１４を備えるにあたって、これらの制御にかかる制御回路部２７は、コンロ本体１１側に備え、天板１２には、タッチパネル１４からの制御信号を制御回路部２７に中継したり、タッチパネル１４への表示信号を制御回路部２７に中継する中継基板としてのプリント基板を備える構成であるため、天板１２側に取り付けられる構造が薄型化でき、キャビネット１を構成する部材があったとしても、タッチパネル１４を天板１２のより手前側に配置することができる。
【００４０】
そして、天板１２をコンロ本体１１上に設置する作業に伴って、天板側コネクタ２６ａと本体側コネクタ２６ｂとが接続されるように構成されているため、従来のビルトインコンロのようなリード線による接続の場合に生じていた問題が解決できる。
【００４１】
ところで、天板１２をコンロ本体１１上に設置するにあたり、天板側コネクタ２６ａ及び本体側コネクタ２６ｂの確実な接続を可能とするためにも、その位置決めが重要である。
【００４２】
天板１２がコンロ本体１１上の所定の位置に確実に設置されるようにすることを目的として、天板１２及びコンロ本体１１に、天板１２を開口部２に設置したときに、天板１２のコンロ本体１１に対する水平方向の移動を規制する位置決め機構が備えられている。
【００４３】
図５に示すように、位置決め機構３０は、天板側コネクタ２６ａを囲むとともに、鉛直方向に突出して設けられ内側筒状部３０ａから構成された挿入部と、本体側コネクタ２６ｂを囲むとともに、内側筒状部３０ａを、鉛直方向に沿って受け入れ可能な外側筒状部３０ｂとから構成されている。内側筒状部３０ａ及び外側筒状部３０ｂは、金属材料又は樹脂材料等から構成されている。内側筒状部３０ａ又は外側筒状部３０ｂのいずれか一方が金属材料から構成され、いずれか他方が樹脂材料から構成されてもよい。
【００４４】
内側筒状部３０ａの外寸は、外側筒状部３０ｂの内寸とほぼ同じか、若干大きめに構成され、内側筒状部３０ａは外側筒状部３０ｂに圧入されるようになっている。
【００４５】
外側筒状部３０ｂは、天板１２をコンロ本体１１上に設置するにあたり、プリント基板２４の天板側コネクタ２６ａと、制御回路部２７の本体側コネクタ２６ｂとが接続されるより前に、内側筒状部３０ａを受け入れ始めるように構成されている。
【００４６】
図６に示すように、内側筒状部３０ａは、下端部の外周に面取りが施され、先細り形状に構成されている。面取りは、天板側コネクタ２６ａと、本体側コネクタ２６ｂとが、接触しない範囲においてのみに備えられている。
【００４７】
これにより、外側筒状部３０ｂは、内側筒状部３０ａの受け入れ初期から中期にかけては、天板１２の水平方向の移動を許容し、内側筒状部３０ａの受け入れ中期から終期にかけては、天板１２の水平方向の移動を規制する。そして、天板側コネクタ２６ａ及び本体側コネクタ２６ｂは、受け入れ中期から終期において、電気的に接続される。
【００４８】
外側筒状部３０ｂの内側筒状部３０ａの受け入れ初期から中期にかけては、天板１２の水平方向の移動がいくらか許容される。天板１２は当初大まかに位置決めがされるに過ぎないことから、天板１２のコンロ本体１１上への設置作業性を損なうことがない。そして、外側筒状部３０ｂの内側筒状部３０ａの受け入れ中期から終期にかけてようやく天板１２の水平方向の移動が規制され、最終的には、天板１２はコンロ本体１１上の所定の位置に位置決めされることとなる。天板１２の水平方向の移動が規制された状態で天板側コネクタ２６ａ及び本体側コネクタ２６ｂとが接続される。
【００４９】
天板側コネクタ２６ａ及び本体側コネクタ２６ｂの近傍において、天板１２とコンロ本体１１との精度のよい位置決めが可能であるため、天板側コネクタ２６ａ及び本体側コネクタ２６ｂを確実に接続することができる。
【００５０】
上述した実施形態においては、内側筒状部３０ａは、下端部の外周に面取りが施されていたが、これに限らない。外側筒状部３０ｂの、上端部の内周に面取りが施されていてもよい。さらには、内側筒状部３０ａ又は外側筒状部３０ｂの少なくとも一方の先端側が弾性の高い材料から構成されてもよい。
【００５１】
位置決め機構は、上述した内側筒状部３０ａ及び外側筒状部３０ｂに限らず、以下のように構成することもできる。なお、ビルトインコンロ１０は、上述した内側筒状部３０ａ及び外側筒状部３０ｂから構成される位置決め機構３０とともに、以下の位置決め機構３１，３２を備えてもよいし、以下の位置決め機構３１，３２の少なくともいずれかのみを備えてもよい。
【００５２】
図７から図１０に示すように、位置決め機構３１，３２の受入部は、制御回路部２７を収容する回路支持部２８に備えられた第一凹状部３１ｂと、コンロ本体１１に備えられた第二凹状部３２ｂとから構成され、位置決め機構３１，３２の挿入部は、第一凹状部３１ｂに対応する位置において、天板１２の裏面から鉛直方向下方に延出され、第一凹状部３１ｂに挿入可能な第一凸状部３１ａと、第二凹状部３２ｂに対応する位置において、天板１２の裏面から鉛直方向下方に延出されて、第二凹状部３２ｂに挿入可能な第二凸状部３２ａから構成されてもよい。
【００５３】
第一凸状部３１ａ及び第二凸状部３２ａは、下端側の厚みが薄くなる板状体から構成されている。第一凹状部３１ｂ及び第二凹状部３２ｂは、それぞれ第一凸状部３１ａ及び第二凸状部３２ａの厚みと同じ幅か、少し狭い幅を有する溝状体から構成されている。
【００５４】
この構成により、第一凹状部３１ｂ及び第二凹状部３２ｂは、第一凸状部３１ａ及び第二凸状部３２ａの受け入れ初期から中期にかけては、天板１２の水平方向の移動を許容し、第一凸状部３１ａ及び第二凸状部３２ａの受け入れ中期から終期にかけては、天板１２の水平方向の移動を規制する。そして、天板側コネクタ２６ａ及び本体側コネクタ２６ｂは、受け入れ中期から終期において、電気的に接続されるように構成されている。
【００５５】
第二凸状部３２ａ及び第二凹状部３２ｂの鉛直方向の長さは、第一凸状部３１ａ及び第一凹状部３１ｂの鉛直方向の長さよりも長く設定されている。これにより、第二凹状部３２ｂによる第二凸状部３２ａの受け入れは、第一凹状部３１ｂによる第一凸状部３１ａの受け入れに先立って行われる。
【００５６】
第一凸状部３１ａが第一凹状部３１ｂに挿入されることによって、天板側コネクタ２６ａ及び本体側コネクタ２６ｂの近傍において、天板１２と回路支持部２８との位置決めが可能であり、さらに、第二凸状部３２ａが第二凹状部３２ｂに挿入されることによって、天板１２とコンロ本体１１との全体的な位置決めが可能となる。なお、回路支持部２８は、コンロ本体１１に対して、多少の水平方向の移動が許容されるような態様によって取り付けられていることが好ましく、第一凸状部３１ａが第一凹状部３１ｂに挿入される際に、天板側コネクタ２６ａに対する本体側コネクタ２６ｂの水平方向の位置ずれが修正される。
【００５７】
そして、第一凸状部３１ａ及び第一凹状部３１ｂによる天板１２の回路支持部２８に対する位置決め精度は、第二凸状部３２ａ及び第二凹状部３２ｂによる天板１２のコンロ本体１１に対する位置決め精度よりも高いように構成されている。
【００５８】
この構成によって、天板１２とコンロ本体１１の大まかな位置決めをしながら、より高い精度が必要な天板側コネクタ２６ａ及び本体側コネクタ２６ｂの近傍において、天板と回路支持部２８との精度のよい位置決めが可能であるため、天板側コネクタ２６ａ及び本体側コネクタ２６ｂを確実に接続することができる。
【００５９】
上述した実施形態においては、第二凸状部３２ａ及び第二凹状部３２ｂの鉛直方向の長さは、第一凸状部３１ａ及び第一凹状部３１ｂの鉛直方向の長さよりも長く設定されていたが、これに限らない。第二凸状部３２ａ及び第二凹状部３２ｂの鉛直方向の長さは、第一凸状部３１ａ及び第一凹状部３１ｂの鉛直方向の長さよりも短く設定されていてもよいし、同じであってもよい。
【００６０】
上述した実施形態においては、第一凸状部３１ａ及び第一凹状部３１ｂによる天板１２の回路支持部２８に対する位置決め精度は、第二凸状部３２ａ及び第二凹状部３２ｂによる天板１２のコンロ本体１１に対する位置決め精度よりも高いように構成されていたが、これに限らない。第一凸状部３１ａ及び第一凹状部３１ｂによる天板１２の回路支持部２８に対する位置決め精度は、第二凸状部３２ａ及び第二凹状部３２ｂによる天板１２のコンロ本体１１に対する位置決め精度よりも低いように構成されてもよいし、同じであってもよい。
【００６１】
上述した実施形態においては、第一凸状部３１ａ及び第二凸状部３２ａは、下端側の厚みが薄くなる板状体から構成されている。第一凹状部３１ｂ及び第二凹状部３２ｂは、それぞれ第一凸状部３１ａ及び第二凸状部３２ａの厚みと同じ幅か、少し狭い幅を有する溝状体から構成されていたが、これに限らない。第一凹状部３１ｂ及び第二凹状部３２ｂの溝が、上方ほど広く、下方ほど狭く構成されてもよい。さらには、第一凸状部３１ａ及び第二凸状部３２ａは、下端側が弾性の低い材料から構成されてもよい。
【００６２】
上述した実施形態においては、三つのタッチパネル１４ごとに、プリント基板２４と、制御回路部２７と、これらをそれぞれ電気的に接続するスプリングコネクタ２６とが備えられていたが、これに限らない。三つのタッチパネル１４で一枚のプリント基板２４を備え、これに対応してコンロ本体１１側に一つの制御回路部２７を備えてもよい。この場合は、スプリングコネクタ２６は一箇所でよい。
【００６３】
上述した実施形態においては、天板側コネクタ２６ａ及び本体側コネクタ２６ｂは、スプリングコネクタ２６である場合について説明したが、これに限らない。天板側コネクタ２６ａ及び本体側コネクタ２６ｂは、プリント基板２４と制御回路部２７との電気的な接続ができる構成であればよい。したがって、雄型及び雌型からなる差込型コネクタから構成されてもよい。
【００６４】
上述した実施形態においては、操作部及び表示部として、操作部と表示部とが一体化した静電容量型のタッチパネルを例に説明したが、これに限らない。タッチパネルは、抵抗膜型、投影型、超音波型、赤外線型のタッチパネルであってもよい。なお、操作部及び表示部は、一体化されているものに限らない。たとえば、操作部として、押しボタン式のスイッチ群であってもよい。また、表示部として液晶ディスプレイであってもよい。さらに、天板１２に操作部及び表示部のいずれか一方のみが設けられている構成であってもよい。表示部としての液晶ディスプレイは、コンロ本体１１側に備えられ、天板１２を透過する態様によって、文字等を表示するように構成されてもよい。
【００６５】
いずれにせよ、天板側コネクタ２６ａ及び本体側コネクタ２６ｂとを備える構成において、天板１２をコンロ本体１１上の所定の位置に設置する際に、位置決め機構によって、天板１２のコンロ本体１１に対する水平方向の位置決めがされることから、天板側コネクタ２６ａ及び本体側コネクタ２６ｂを確実に接続することができる。
【００６６】
上述した実施形態においては、位置決め機構は、ビルトインコンロ１０の左右の二箇所において同時に位置決めされるように構成されていたが、これに限らない。たとえば、天板１２の水平を維持したまま、鉛直下方に移動させるなかで、所定の順番で位置決めがされ始めるように構成されてもよい。
【００６７】
上述した実施形態においては、ビルトインコンロ１０の左右の二箇所において、位置決め機構が備えられていたが、これに限らない。ビルトインコンロ１０の前後の二箇所において、位置決め機構が備えられてもよいし、前後左右の四箇所、又はそれ以上の箇所に位置決め機構が備えられてもよい。さらに、ビルトインコンロ１０のいずれか一箇所にのみ位置決め機構が備えられてもよい。
【００６８】
上述の実施形態においては、天板１２と回路支持部２８の位置決め機構として第一凸状部３１ａ及び第一凹状部３１ｂと、第二凸状部３２ａ及び第二凹状部３２ｂとが備えられていたが、これに限らない。たとえば、受入部は、制御回路部２７を収容する回路支持部２８に備えられた凹状部のみを有し、挿入部は、凹状部に対応する位置において、天板１２の裏面から鉛直方向下方に延出され、凹状部に挿入可能な凸状部のみを有する構成であってもよい。このような構成であっても、挿入部としての凸状部を、受入部としての凹状部に挟持させる態様によって、天板１２を回路支持部２８に対して位置決めすることができる。
【００６９】
また、受入部は、コンロ本体１１に備えられた凹状部のみを有し、挿入部は、凹状部に対応する位置において、天板１２の裏面から鉛直方向下方に延出されて、凹状部に挿入可能な凸状部のみを有する構成であってもよい。挿入部としての凸状部を、受入部としての凹状部に挟持させる態様によって、天板１２をコンロ本体１１に対して位置決めすることができる。
【００７０】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００７１】
１        ：キャビネット
２        ：開口部
１０      ：ビルトインコンロ
１１      ：コンロ本体
１２      ：天板
１３      ：天板
１４      ：タッチパネル（操作部及び表示部）
２０      ：導電膜
２２      ：導光板（発光部）
２３      ：発光素子（発光部）
２４      ：プリント基板（中継基板）
２６ａ    ：天板側コネクタ
２６ｂ    ：本体側コネクタ
２７      ：制御回路部
２８      ：回路支持部
３０ａ    ：内側筒状部（挿入部）
３０ｂ    ：外側筒状部（受入部）
３１ａ    ：第一凸状部（挿入部）
３１ｂ    ：第一凹状部（受入部）
３２ａ    ：第二凸状部（挿入部）
３２ｂ    ：第二凹状部（受入部）
【図１】
2018169087.tif 000003
【図２】
2018169087.tif 000004
【図３】
2018169087.tif 000005
【図４】
2018169087.tif 000006
【図５】
2018169087.tif 000007
【図６】
2018169087.tif 000008
【図７】
2018169087.tif 000009
【図８】
2018169087.tif 000010
【図９】
2018169087.tif 000011
【図１０】
2018169087.tif 000012